(57)【特許請求の範囲】
【請求項１】
複数のユーザ装置（ＵＥ）デバイスの中の少なくとも１つのＵＥデバイスがポイントツーマルチポイント（ＰＴＭ）互換サービスの受信に興味を持つことを示すセル識別（セルＩＤ）情報を、ネットワークが複数のｅＮｏｄｅＢから受信する工程であって、前記セルＩＤ情報は、前記少なくとも１つのＵＥデバイスが前記ＰＴＭ互換サービスの送信を受信できる複数のセルのセルＩＤを含む、工程と、
前記ネットワークが、前記ＰＴＭ互換サービスを提供するために、前記セルＩＤ情報に基づいて複数の送信メカニズムから送信メカニズムを選択する工程であって、前記複数の送信メカニズムは、マルチキャスト・ブロードキャスト単一周波数ネットワーク（ＭＢＳＦＮ）送信メカニズム及び単一セル・ポイントツーマルチポイント（ＳＣ−ＰＴＭ）送信メカニズムを含む、工程と、を含み、
前記セルＩＤ情報は、１つ又は２つ以上のマルチメディア・ブロードキャスト・マルチキャスト・サービス（ＭＢＭＳ）サービスカウント結果報告内にて受信され、
前記１つ又は２つ以上のＭＢＭＳサービスカウント結果報告は、前記少なくとも１つのＵＥデバイスによって送信された１つ又は２つ以上のＭＢＭＳカウント応答メッセージからの情報を含み、
各ＭＢＭＳカウント応答メッセージは、前記少なくとも１つのＵＥデバイスのサービングセルを特定するセルＩＤ情報要素（ＩＥ）を含み、
前記セルＩＤ  ＩＥは、前記ＭＢＭＳカウント応答メッセージを送信する前記少なくとも１つのＵＥデバイスのプライマリサービングセル及びセカンダリサービングセルを特定し、
前記複数のセルは、前記プライマリサービングセル及び前記セカンダリサービングセルを含む、
方法。
【請求項２】
前記複数の送信メカニズムは、ユニキャスト送信メカニズムを更に含む、請求項１に記載の方法。
【請求項３】
前記選択する工程は、
前記複数のｅＮｏｄｅＢの各ｅＮｏｄｅＢについて、前記ＰＴＭ互換サービスに興味があり、かつ、前記ｅＮｏｄｅＢのセルからの送信を受信できる、前記複数のＵＥデバイスの中のＵＥデバイスの数を決定する工程と、
前記ＰＴＭ互換サービスに興味があり、かつ、各ｅＮｏｄｅＢの前記セルからの送信を受信できる前記ＵＥデバイスの数に、少なくとも部分的には基づいて、前記送信メカニズムを選択する工程と、を含む、請求項１に記載の方法。
【請求項４】
前記ＭＢＭＳカウント応答メッセージは前記プライマリサービングセルのみに送信される、請求項１に記載の方法。
【請求項５】
前記セルＩＤ  ＩＥは、前記ＭＢＭＳカウント応答メッセージを送信する前記少なくとも１つのＵＥデバイスによってアクセス可能な非サービングセルを更に特定する、請求項４に記載の方法。
【請求項６】
前記ＭＢＳＦＮ送信メカニズム及び前記ＳＣ−ＰＴＭ送信メカニズムは、第３世代パートナーシップ・プロジェクト（３ＧＰＰ）のロングタームエボリューション（ＬＴＥ）通信仕様の少なくとも１つの改訂版に従う、請求項１に記載の方法。
【請求項７】
第３世代パートナーシップ・プロジェクト（３ＧＰＰ）のロングタームエボリューション（ＬＴＥ）通信仕様の少なくとも１つの改訂版に従い、マルチキャスト・ブロードキャスト単一周波数ネットワーク（ＭＢＳＦＮ）送信メカニズム、及び単一セル・ポイントツーマルチポイント（ＳＣ−ＰＴＭ）送信メカニズムを含む複数の送信メカニズム介した、ポイントツーマルチポイント（ＰＴＭ）互換サービスの提供が可能なシステムにおけるネットワークによって行われる方法であって、前記方法は、
マルチメディア・ブロードキャスト・マルチキャスト・サービス（ＭＢＭＳ）サービスカウント要求を、複数のｅＮｏｄｅＢに対して送信する工程であって、前記ＭＢＭＳサービスカウント要求は、前記ｅＮｏｄｅＢからのＭＢＭＳカウント要求メッセージの送信を引き起こし、前記ＭＢＭＳサービスカウント要求及び前記ＭＢＭＳカウント要求メッセージはそれぞれ、セル識別（セルＩＤ）情報が要求されていることを少なくとも示すセルＩＤ情報要素（セルＩＤ  ＩＥ）を含む、工程と、
複数のユーザ装置（ＵＥ）デバイスの中の少なくとも１つのＵＥデバイスが前記ＰＴＭ互換サービスの受信に興味を持つことを示すセルＩＤ情報を含むＭＢＭＳサービスカウント結果報告を、前記複数のｅＮｏｄｅＢから受信する工程であって、前記セルＩＤ情報は、前記少なくとも１つのＵＥデバイスが前記ＰＴＭ互換サービスの送信を受信できる複数のセルのセルＩＤを含む、工程と、
前記セルＩＤ情報に基づいて、前記ＭＢＳＦＮ送信メカニズム及び前記ＳＣ−ＰＴＭ送信メカニズムを含む前記複数の送信メカニズムの中から送信メカニズムを選択する工程と、を含み、
前記ＭＢＭＳサービスカウント結果報告は、前記少なくとも１つのＵＥデバイスよって送信されたＭＢＭＳカウント応答メッセージからの情報を含み、
前記セルＩＤ情報は、前記ＭＢＭＳカウント応答メッセージを送信する前記少なくとも１つのＵＥデバイスのプライマリサービングセル及びセカンダリサービングセルを特定し、
前記複数のセルは、前記プライマリサービングセル及び前記セカンダリサービングセルを含む、
方法。
【請求項８】
前記複数の送信メカニズムは、ユニキャスト送信メカニズムを更に含む、請求項７に記載の方法。
【請求項９】
前記ＭＢＭＳサービスカウント要求及び前記ＭＢＭＳカウント要求メッセージはそれぞれ、少なくとも１つのＰＴＭ互換サービスを特定する一時モバイルグループ識別情報（ＴＭＧＩ）ＩＥを含み、
前記ＭＢＭＳサービスカウント結果報告は、前記少なくとも１つのＰＴＭ互換サービスを特定する、請求項７に記載の方法。
【請求項１０】
前記ＭＢＭＳカウント応答メッセージは前記プライマリサービングセルのみに送信される、請求項７に記載の方法。
【請求項１１】
前記ＭＢＭＳカウント応答メッセージを送信する少なくとも１つのＵＥデバイスについての前記セルＩＤ情報は、前記ＭＢＭＳカウント応答メッセージを送信する前記少なくとも１つのＵＥデバイスによってアクセス可能な、非サービングセルを特定する、請求項１０に記載の方法。
【請求項１２】
第３世代パートナーシップ・プロジェクト（３ＧＰＰ）のロングタームエボリューション（ＬＴＥ）通信仕様の少なくとも１つの改訂版に従い、マルチキャスト・ブロードキャスト単一周波数ネットワーク（ＭＢＳＦＮ）送信メカニズム、及び単一セル・ポイントツーマルチポイント（ＳＣ−ＰＴＭ）送信メカニズムを含む複数の送信メカニズム介した、ポイントツーマルチポイント（ＰＴＭ）互換サービスの提供が可能なシステムであって、前記システムは、
複数のｅＮｏｄｅＢと、
マルチメディア・ブロードキャスト・マルチキャスト・サービス（ＭＢＭＳ）サービスカウント要求を、前記複数のｅＮｏｄｅＢに送信するように構成されたネットワークであって、前記ＭＢＭＳサービスカウント要求は、セルＩＤ情報が要求されていることを少なくとも示すセルＩＤ情報要素（セルＩＤ  ＩＥ）を含む、ネットワークと、を含み、
前記複数のｅＮｏｄｅＢのそれぞれは、前記ＭＢＭＳサービスカウント要求に応答して、ＭＢＭＳカウント要求メッセージを送信するように構成され、前記ＭＢＭＳカウント要求メッセージは、セル識別（セルＩＤ）情報が要求されていることを少なくとも示す前記セルＩＤ  ＩＥを含み、
前記複数のｅＮｏｄｅＢのそれぞれは、複数のユーザ装置（ＵＥ）デバイスの中の少なくとも１つのＵＥデバイスが前記ＰＴＭ互換サービスの受信に興味を持つことを示すセルＩＤ情報を含むＭＢＭＳサービスカウント結果報告を前記ネットワークに送信するように構成され、前記セルＩＤ情報は、前記少なくとも１つのＵＥデバイスが前記ＰＴＭ互換サービスの送信を受信できる複数のセルのセルＩＤを含み、
前記ネットワークは、前記セルＩＤ情報に基づいて、前記ＭＢＳＦＮ送信メカニズム及び前記ＳＣ−ＰＴＭ送信メカニズムを含む前記複数の送信メカニズムの中から送信メカニズムを選択するように構成され、
前記ＭＢＭＳサービスカウント結果報告は、前記少なくとも１つのＵＥデバイスよって送信されたＭＢＭＳカウント応答メッセージからの情報を含み、
前記セルＩＤ情報は、前記少なくとも１つのＵＥデバイスのプライマリサービングセル及びセカンダリサービングセルを特定し、
前記複数のセルは、前記プライマリサービングセル及び前記セカンダリサービングセルを含む、
システム。
【請求項１３】
前記複数の送信メカニズムは、ユニキャスト送信メカニズムを更に含む、請求項１２に記載のシステム。
【請求項１４】
前記ＭＢＭＳサービスカウント要求及び前記ＭＢＭＳカウント要求メッセージはそれぞれ、少なくとも１つのＰＴＭ互換サービスを特定する一時モバイルグループ識別情報（ＴＭＧＩ）ＩＥを含み、
前記ＭＢＭＳサービスカウント結果報告は、前記少なくとも１つのＰＴＭ互換サービスを特定する、請求項１２に記載のシステム。
【請求項１５】
前記ＭＢＭＳカウント応答メッセージは前記プライマリサービングセルのみに送信される、請求項１２に記載のシステム。
【発明の詳細な説明】
【関連出願】
【０００１】
本願は、米国特許仮出願第６２／１１０，１５９号、発明の名称「Ｓｅｌｅｃｔｉｏｎ  ｏｆ  ＳＣ−ＰＴＭ  Ｔｒａｎｓｍｉｓｓｉｏｎ」、整理番号ＴＰＲＯ００２６３、２０１５年１月３０日出願、に対する優先権の利益を主張し、当該出願の全容を本明細書に組み込む。
【技術分野】
【０００２】
本発明は概して無線通信に関し、より具体的には、ポイントツーマルチポイント（ＰＴＭ）互換サービスのための送信メカニズムの選択に関する。
【背景技術】
【０００３】
マルチメディア・ブロードキャスト・マルチキャスト・サービス（ＭＢＭＳ）は、第３世代パートナーシップ・プロジェクト（３ＧＰＰ）のセルラネットワーク内で、ブロードキャスト及びマルチキャストのサービスの効率的な配信を提供するように設計された、ポイントツーマルチポイント（ＰＴＭ）インターフェイスの仕様である。ＭＢＭＳインターフェイス仕様の例としては、ユニバーサル移動体通信システム（ＵＭＴＳ）及びロングタームエボリューション（ＬＴＥ）の通信仕様にて記載されているものが挙げられる。複数セルにわたるブロードキャスト送信について、これらの仕様書では、単一周波数ネットワーク構成上での送信が定義されている。意図されている用途としては、携帯型ＴＶ、ニュース、ラジオ放送、ファイル送信、緊急時警告などが挙げられる。ＭＢＭＳによりサービスをブロードキャストする場合、ＭＢＳＦＮ（マルチメディア・ブロードキャスト・マルチキャスト・サービス単一周波数ネットワーク）エリア内の全てのセルが、同一のＭＢＭＳサービスを送信する。
【０００４】
ユーザは、通信システム内の基地局と通信するための無線送受信機を備えた無線通信デバイス（セルラホン、タブレット、ラップトップ、及び他のデバイスなど）を通じて、これらのサービスにアクセスして、ＭＢＭＳコンテンツを受け取る。基地局（ｅＮｏｄｅＢ又はｅＮＢと呼ぶ場合もある）は、セル内の無線通信デバイス（ユーザ装置（ＵＥ）と呼ぶ場合もある）に無線サービスを提供する。
【０００５】
ユーザは、ＵＥデバイスを通じ、ポイントツーポイント（ＰＴＰ）接続又はポイントツーマルチポイント（ＰＴＭ）送信のいずれかを用いて、少なくとも一部のマルチメディアサービスに対してアクセス可能である。３ＧＰＰシステムでは、ＰＴＰサービスは、ユニキャスト技術を用いて提供され得る。また、ＰＴＭ送信は、ＭＢＭＳ通信を用いて提供され得、マルチキャスト・ブロードキャスト単一周波数ネットワーク（ＭＢＳＦＮ）、又は単一セル−ポイントツーマルチポイント（ＳＣ−ＰＴＭ）通信によって送信される。３ＧＰＰのロングタームエボリューション（ＬＴＥ）通信仕様の改訂版に従って動作するシステムにおいては、ＭＢＭＳは、ｅＭＢＭＳを使用して提供される。したがって、ＬＴＥシステムでは、ユニキャストサービス、ＭＢＳＦＮ、又はＳＣ−ＰＴＭのいずれかにより、ＰＴＭ互換サービスの提供が可能である。
【発明の概要】
【０００６】
ネットワークは、ポイントツーマルチポイント（ＰＴＭ）互換サービスの受信に興味があるユーザ装置（ＵＥ）デバイスのサービングセルを特定する、セル識別（セルＩＤ）情報に基づいて、ＰＴＭ互換サービスを配信するための送信メカニズムを選択する。場合によっては、このセルＩＤ情報は、マルチメディア・ブロードキャスト・マルチキャスト・サービス（ＭＢＭＳ）カウント手順を使用して、前記ネットワークによって取得され、ここで、セルＩＤ情報は、ＭＢＭＳカウント要求メッセージ内で要求され、各ＵＥデバイスによってＭＢＭＳカウント応答メッセージ内で提供される。
【図面の簡単な説明】
【０００７】
図１Ａは、マルチメディア・ブロードキャスト・マルチキャスト・サービス（ＭＢＭＳ）をユーザ装置（ＵＥ）デバイスに提供可能な通信システムのブロック図である。
【０００８】
図１Ｂは、セル識別情報がｅＮｏｄｅＢから送信される一例についての通信システムのブロック図である。
【０００９】
図１Ｃは、ＵＥデバイスにより送信されるＭＢＭＳカウント要求応答メッセージ内に、セルＩＤ情報が提供される一例についての通信システムのブロック図である。
【００１０】
図２は、３ＧＰＰのＬＴＥシステム内のネットワークエンティティのうちのいくつかを示す、通信システムのブロック図である。
【００１１】
図３は、セルＩＤ情報がＵＥデバイスによって、ＭＢＭＳカウント応答メッセージ内で提供される一例のメッセージ図である。
【００１２】
図４は、図３の例での使用に好適なセルＩＤ  ＩＥを含むＭＢＭＳサービスカウント要求の一例のブロック図である。
【００１３】
図５は、図３の例での使用に好適なセルＩＤ  ＩＥを含むＭＢＭＳカウント要求メッセージの一例のブロック図である。
【００１４】
図６は、図３の例での使用に好適なセルＩＤ  ＩＥを含むＭＢＭＳカウント応答メッセージの一例のブロック図である。
【００１５】
図７は、図３の例での使用に好適なＭＢＭＳサービスカウント結果報告の一例のブロック図である。
【発明を実施するための形態】
【００１６】
図１Ａは、複数の送信メカニズムによって、ユーザ装置（ＵＥ）デバイスに、ポイントツーマルチポイント（ＰＴＭ）互換サービス／コンテンツを提供できる通信システム１０のブロック図である。通信システム１０は、ネットワーク２０を含み、ネットワーク２０は、複数のサービスセル４０、４２、４４内にある複数のＵＥデバイス２１〜２５に対して各種の無線サービスを提供する。通常、ネットワーク２０には、発展型ユニバーサル移動体通信システム地上波無線アクセスネットワーク（Ｅ−ＵＴＲＡＮ）、発展型パケットコア（ＥＰＣ）などのコアネットワーク、パケットデータネットワーク（ＰＤＮ）、及びグループ通話システム-アプリケーションサーバ（ＧＣＳ−ＡＳ）などのサーバが含まれる。明快かつ簡潔なものとするため、図１では、３つのセル４０、４２、４４内に、限られた数のＵＥデバイスが示されている。これらのセルは円形に表されているものの、通常のシステム１０では、数多くのセルが、様々な形状の地理的サービスエリアを有している。本明細書で述べられるように、ＰＴＭ互換サービスは、ＰＴＭ技術によって提供し得るデータ、通信、サービス、及び／又はコンテンツの任意の組み合わせである。多くの場合、ＰＴＭ互換サービスは、マルチキャスト・ブロードキャスト単一周波数ネットワーク（ＭＢＳＦＮ）、単一セル・ポイントツーマルチポイント（ＳＣ−ＰＴＭ）サービス、及び／又はポイントツーポイント（ＰＴＰ）技術を用いるユニキャストサービスによる、マルチメディア・ブロードキャスト・マルチキャスト・サービス（ＭＢＭＳ）で、提供され得る。ＰＴＭ互換サービスの例の一部としては、携帯型ＴＶ、ニュース、ラジオ放送、ファイル送信、緊急時警告などが挙げられる。本明細書に記載する例においては、通信システム１０は、第３世代パートナーシップ・プロジェクトのロングタームエボリューション（３ＧＰＰ  ＬＴＥ）通信仕様書の少なくとも１つの改訂版に従って動作し、拡張ＭＢＭＳ（ｅＭＢＭＳ）、ＳＣ−ＰＴＭ５２、及びユニキャスト５４などのＭＢＳＦＮ５０を通じたＭＢＭＳ（ＭＢＭＳ）を少なくとも用いて、ＰＴＭ互換サービスを提供することができる。状況によっては、他のメカニズムを使用してもよい。したがって、本システムでは、ＭＢＳＦＮサービスエリア５６におけるマルチキャスト−ブロードキャスト単一周波数ネットワーク（ＭＢＳＦＮ）がサポートされ、この場合、ＰＴＭ互換サービスは、このＭＢＳＦＮを通して、ｅＭＢＭＳ送信メカニズム５０を使用することによって提供される。加えて、ネットワーク２０は、ＳＣ−ＰＴＭ送信メカニズム５２を介してＰＴＭ互換サービスを提供でき、この場合は、ＭＢＳＦＮエリア全体を通じたブロードキャストではなく、１つ又は２つ以上の選択したセル内でのみ、ＰＴＭ互換サービスを送信する。場合によっては、ＳＣ−ＰＴＭを使用して、ｅＭＢＭＳを提供することもできる。後述されるように、ある特定のＰＴＭサービスを提供するために、これらの送信メカニズムのうちの１つを使用することにより、その特定のＰＴＭサービスに興味があるＵＥデバイスの分布に応じて、通信リソースをより効率的に使用できるようになる。
【００１７】
ネットワーク２０は、特定のＰＴＭ互換サービスの受信に興味がある各ＵＥデバイスのサービングセルを特定するサービングセル情報６０を取得する。一部の例においては、３ＧＰＰのＬＴＥ通信システム１０内のネットワーク２０は、ＭＢＭＳカウント応答メッセージ内に提供されるサービングセル識別情報に基づいて、ＰＴＭサービスのための送信メカニズムを選択する。ネットワーク１０内の１つ又は２つ以上のエンティティにより、特定のＰＴＭサービスに興味があるＵＥデバイスのサービングセル情報を評価する。これらのＵＥデバイスの分布に基づき、１つ又は２つ以上の当該エンティティは、各ＵＥデバイスに対してどのようにサービスを提供するかを判断する。例えば、全ての又はほとんど全てのＵＥデバイスが、単一のセルのサービスエリア内にある場合、ネットワークは、ＳＣ−ＰＴＭ送信メカニズムを使用してこれらのＵＥデバイスに対してＰＴＭ互換サービスを提供することを決定してもよい。一方で、同一のＰＴＭサービスに興味がある膨大な数のＵＥデバイスが、ＭＢＳＦＮサービスエリア内の複数のセルにわたって分布している場合、ＰＴＭサービスは、ＭＢＳＦＮを通じてＭＢＭＳを使用して配信されてもよい。場合によっては、ユニキャスト又は他のＰＴＰ送信メカニズムを選択してもよい。図１Ａ、図１Ｂ、及び図１Ｃの例については、第１のＰＴＭ互換サービスに興味があるＵＥデバイス２１〜２５の第１の群が単一のセル４０内に主に分布している。したがって、ネットワークは、サービングセル情報６０から、ＵＥデバイス２１〜２４が単一のセル４０内にあり、１つのＵＥデバイス２５が第２のセル４３内にあることを判断する。ネットワーク２０は、第１のＰＴＭ互換サービスが、単一のセル４０によってＳＣ−ＰＴＭ５２により提供されるべきことを判断する。ＵＥデバイス２５などの、第１のＰＴＭ互換サービスに興味がある他のＵＥデバイスは、それぞれのサービングセルによって提供されるＳＣ−ＰＴＭを使用して、又は図１Ａに示すようなユニキャスト５４などのＰＴＰ送信メカニズムによって、そのＰＴＭ互換サービスを取得し得る。図１Ａの例の場合、ＭＢＳＦＮにわたってＭＢＭＳを用いてサービスを提供する場合には、ＭＢＭＳリソースは、ＰＴＭ互換サービスを受信するＵＥデバイスがわずかであるか、又は存在しないセルで使用されることになってしまうため、このような送信メカニズムの選択は、ＭＢＳＦＮにわたってＭＢＭＳを使用するよりも効率的である。一方で、ＰＴＭ互換サービスに興味があるＵＥデバイスが複数のセルにわたって分布している場合（図１ＡのＵＥデバイス２６〜３１など）、ネットワークは、ＭＢＳＦＮ５０にわたってＭＢＭＳによってＰＴＭ互換サービスを提供すべきことを判断する。
【００１８】
図１Ｂは、セル識別情報がｅＮｏｄｅＢから送信される一例についての通信システム１０のブロック図である。ＭＢＭＳ通信システム１００は、複数の基地局（８１、８２）（ｅＮｏｄｅＢ又はｅＮＢと呼ぶ場合もある）を含み、これら複数の基地局は、下りリンク信号を送信することによって、また、ＵＥデバイス２１〜３１から送信される上りリンク信号を受信することによって、無線通信デバイス（ＵＥデバイス）２１〜３１と通信する。ＵＥデバイス２１〜３１は、例えば、携帯電話、送受信機モデム、携帯情報端末（ＰＤＡ）、及びタブレットなどの任意の無線通信デバイスである。
【００１９】
ｅＮｏｄｅＢ８１、８２は、公知の手法に従い、バックホールを通じてネットワーク２０に接続される。通信システム１０は、ＳＣ−ＰＴＭ、及びＭＢＳＦＮ技術によるＭＢＭＳを使用して、複数のｅＮｏｄｅＢを通じて、ＰＴＭ互換サービスを送信することによって、ＰＴＭサービスを提供する。
【００２０】
この例の場合、各ｅＮｏｄｅＢは、特定のＰＴＭ互換サービスに興味がある各セル内のＵＥデバイスの数をネットワーク２０が判断できるような情報（セルＩＤ情報）７０を含む１つ又は２つ以上のメッセージを送信する。セルＩＤ情報７０は、具体的な実装に応じた様々な層、シグナリング、及びメッセージによって提供され得る。場合によっては、各ｅＮｏｄｅＢは、特定のＰＴＭ互換サービスに興味があるＵＥデバイスがどれであるかを判断するために、配下のＵＥデバイスに問い合わせを行うように、ネットワーク内のエンティティから指示を受ける。例えば、ブロードキャスト・マルチキャスト・サービス・センター（ＢＭ−ＳＣ）が、Ｅ−ＵＴＲＡＮに対し、ＰＴＭ互換サービスに興味があるかどうかを各ＵＥデバイスに問い合わせるように指示してもよい。続いて、システム情報を使用して、Ｅ−ＵＴＲＡＮは、各ＵＥデバイスに対して、興味のある一時モバイルグループ識別情報（ＴＭＧＩ：Ｔｅｍｐｏｒａｒｙ  Ｍｏｂｉｌｅ  Ｇｒｏｕｐ  Ｉｄｅｎｔｉｔｙ）を示すように要求する、ＴＭＧＩ要求を送信する。各ＵＥデバイスは、興味のある１つ又は２つ以上のＴＭＧＩを示し、Ｅ−ＵＴＲＡＮは、その結果をＢＭ−ＳＣに対して報告する。このような実装の場合、各ｅＮｏｄｅＢ８１、８２は、興味のあるＴＭＧＩを特定するために、その配下にあるＵＥデバイスと通信する。各ｅＮｏｄｅＢ８１、８２は、ネットワーク２０にセルＩＤ情報を送信する。このような場合、ＵＥデバイスは、サービングセル情報を何ら報告する必要はなく、これは、各ｅＮｏｄｅＢ８１、８２が、応答しているＵＥデバイスに対するセル情報を提供しているからである。
【００２１】
他の例では、後述されるように、セルＩＤ情報７０は、ｅＮｏｄｅＢへのカウント応答メッセージ内に提供され。ｅＮｏｄｅＢは、ネットワークに対して、カウント結果報告内で、そのセルＩＤ情報を転送する。ネットワークが無線通信デバイス（ＵＥ）から受信状態のフィードバックを受信するために、現行の３ＧＰＰ仕様書では、カウント手順が仕様化されている。カウント手順は、ネットワークによって開始される。ネットワーク内のマルチ−セル／マルチキャスト調整エンティティ（ＭＣＥ）は、無線通信デバイス（ＵＥ）にカウント要求を送るために、ＭＢＳＦＮエリア内の、特定のＰＴＭ互換サービスを提供する（又はＰＴＭ互換サービスを提供することができる）各ｅＮｏｄｅＢに要求を送る。通常、このカウント要求には、無線通信デバイス（ＵＥ）からのフィードバックを求める、特定のＰＴＭ互換サービス識別子のリストが含まれる。その特定のコンテンツを受信しているか、又はその受信に興味がある、接続モードの無線通信デバイス（ＵＥ）は、興味のある特定のＰＴＭ互換サービス識別子を含むカウント応答メッセージで応答する。以下に述べる例の場合、セル識別情報指示子及び識別子を含めるように従来のカウント手順を変更し、これにより、少なくとも１つのＰＴＭ互換サービスに興味がある各ＵＥデバイスのサービングセルを特定するセル識別情報が、ネットワークによって要求され得、かつ、ＵＥデバイスによって提供され得る。
【００２２】
図１Ｃは、ＵＥデバイス２１〜３１により送信されるＭＢＭＳカウント要求応答メッセージ９０、９１、９２、９３内に、セルＩＤ情報７０が提供される一例についての通信システム１０のブロック図である。後述されるように、ネットワーク２０は、マルチセル／マルチキャスト調整エンティティ（ＭＣＥ）１００、ＢＭ−ＳＣ１０２、及びグループ通話システムアプリケーションサーバＧＣＳ−ＡＳ１０４を含む。ＭＣＥ１００は、ｅＮｏｄｅＢ８１、８２に対して、情報及び指示の交換を行うことにより、ＭＢＭＳ通信を管理する。通常、ＭＣＥ１００は、ネットワーク／システム内の複数のデバイス又はネットワーク要素にまたがって実装される、論理ネットワークエンティティである。しかしながら、ＭＣＥ１００は、一部の状況下では、単一のデバイス又はネットワーク要素内に実装されていてもよい。ＭＣＥ１００は、マルチセルＭＢＭＳでのＭＢＭＳ単一周波数ネットワーク（ＭＢＳＦＮ）エリア５６について、受付制御及び無線リソースの割り当てなどの機能を担う。ＭＢＭＳ通信の管理においては、ＭＣＥ１００は、１つ又は２つ以上のＰＴＭ互換サービスに対するカウント手順を呼び出し、カウント結果を取得する。このカウント手順結果に基づき（また、更に他の要素に基づいてもよい）、ＭＣＥ９０は、ＰＴＭセッションを中止すべきか、確立すべきか、又は再開すべきかを判断する。ＭＢＭＳセッションは、ｅＮｏｄｅＢ８１、８２からＰＴＭ互換サービスがマルチキャストされる場合のセッションである。本明細書に記載する各例について、ＭＣＥ１００は、本明細書に記載する改良されたカウント手順及び送信メカニズム選択手順を除けば、これらの作業を行うために１つ又は２つ以上の現行の３ＧＰＰのＬＴＥ仕様書に従って動作する。
【００２３】
ブロードキャスト・マルチキャスト・サービス・センター（ＢＭ−ＳＣ）１０２は、認証、コンテンツ認可、課金、及びコアネットワークを通るデータフローの設定などを担当する、制御プレーン内のネットワークエンティティである。ＢＭ−ＳＣは、プロキシ・コンテンツ・サーバとして機能し、メンバーシップ、セッション及び送信、プロキシ及びトランスポート、サービスアナウンスメント、セキュリティ、並びにコンテンツ同期を促進する。
【００２４】
ＧＣＳ−ＡＳ１０４は、ＰＴＭ互換サービスのためのコンテンツの提供を行うアプリケーションサーバである。ＧＣＳ  ＡＳは、公共安全用デバイスに対してトラフィック（音声、動画、又はデータ）を送信するために、ユニキャスト又はブロードキャストモードのいずれのモードを使用するかを決定するエンティティである。このエンティティは、ネットワーク２０に接続されている。ＳＣ−ＰＴＭをサポートするために、ＧＣＳ  ＡＳは、ＵＥからのセル識別情報を要求してもよい。しかし、このアプリケーション層（ＧＣ１インターフェイス経由）により更新される情報は、動的なものではなく、かつ、タイミングを合わせてＭＣＥと共有される必要がある。これは、どちらの形態のＰＴＭを送信に使用すべきかを最終的に決定するのはＭＣＥであるからである。
【００２５】
ＭＣＥ１００から受信されるＭＢＭＳサービスカウント要求に応答して、ｅＮＢ８１及びｅＮＢ８２は、ＵＥデバイス２１〜３１にＭＢＭＳカウント要求メッセージを送信する。この例においては、ＭＢＭＳサービスカウント要求及びＭＢＭＳカウント要求メッセージは、各ＵＥデバイスがそれぞれのサービングセルのセルＩＤを提供すべきことを示す、セル識別情報指示子を含む。場合によっては、セル識別情報指示子は、ＵＥデバイスにセルＩＤ情報を提供するように通知するだけの汎用（ｇｅｎｅｒｉｃ）指示子である。他の場合では、セル識別情報指示子により、ＭＣＥが特定的に情報を要求している特定のセルが識別される。場合によっては、セル識別情報指示子は省略されてもよい。例えば、ＵＥデバイスは、ＭＢＭＳカウント要求に応答して、セルＩＤ情報を提供するように構成されてよい。このような状況は、ＭＢＭＳカウント要求がＳＣ−ＰＴＭを通じて送られる場合に有用である。各ＵＥデバイスは、それぞれのサービングセルのセルＩＤを含むＭＢＭＳカウント応答メッセージ９０、９１、９２、９３にて応答する。各ｅＮＢ８１、８２は、各ＰＴＭ互換サービスについて、セルＩＤ情報を示すＭＢＭＳカウント結果報告メッセージ１０６、１０８を生成して、送信する。それ故、ある１つのｅＮＢ８１からのＭＢＭＳカウント結果報告１０６には、各ＰＴＭ互換サービスに興味があるＵＥデバイス２１、２６のサービングセルを示す情報が含まれる。この例の場合、ＵＥデバイス２１などのＵＥデバイスは、第１のセル４０のセルＩＤを示すとともに、第１のＴＭＧＩを示し、ＵＥデバイス２６などのＵＥデバイスは、第１のセル４０のセルＩＤを示すとともに、第２のＴＭＧＩを示す。同様に、ＵＥデバイス２５などのＵＥデバイスからのＭＢＭＳカウント応答メッセージ９３は、第３のセル４３のセルＩＤを示すとともに、第１のＴＭＧＩを示し、一方で、ＵＥデバイス２８などのＵＥデバイスは、第３のセル４３のセルＩＤを示すとともに、第２のＴＭＧＩを示す。ｅＮＢ８１、８２は、第１のＴＭＧＩに興味があるＵＥデバイス及び第２のＴＭＧＩに興味があるＵＥデバイスと、それらのサービングセルのセルＩＤと、を示すＭＢＭＳサービスカウント結果報告１０６、１０８を送信する。ＭＢＭＳサービスカウント結果報告１０６、１０８内の情報に基づいて、ＭＣＥ１００及びＢＭ−ＳＣは、各種のＰＴＭ互換サービス（ＴＭＧＩ）に興味があるＵＥデバイスの分布及び数を判断し、各ＴＭＧＩのための送信メカニズムを選択する。場合によっては、ＧＣＳ−ＡＳ１０４が、送信メカニズムの選択に少なくとも部分的に関与してもよい。後述されるように、ＵＥデバイスは、報告されたセルがプライマリサービングセル及びセカンダリセルを含み得る場合、複数のセルを特定してもよい。場合によっては、ＵＥデバイスは、サービングセルに加えて非サービングセルを報告してもよい。ＵＥデバイスが、あるセルを監視している一方で、そのセルでサービスを受信していない場合、セル情報を提供することが有用となり得る。このような状況は、あるＵＥデバイスが、あるｅＮｏｄｅＢの１つ又は２つ以上のセルにおけるサービスを受信している一方で、同一のｅＮｏｄｅＢの他のアクセス可能なセルを監視するような場合に生じ得る。
【００２６】
それ故、この例の場合、ＭＣＥ１００は、ＭＢＳＦＮエリア内の全てのｅＮＢに対してＭＢＭＳサービスカウント要求を送信する。これに応答して、各ｅＮＢは、それらのｅＮＢのサービスエリア内のＵＥに対してＭＢＭＳカウント要求メッセージを送信する。ＭＢＭＳサービスカウント要求及びＭＢＭＳカウント要求メッセージは、セル識別情報要素（セルＩＤ  ＩＥ）を含み、このセルＩＤ  ＩＥは、各ＵＥデバイスが、ＭＢＭＳカウント要求メッセージへの応答時に、それぞれのサービングセルのセル識別情報を提供すべきことを示す。各ＵＥデバイスは、それぞれのサービングｅＮＢから受信したＭＢＭＳカウント要求メッセージに応答して、ＭＢＭＳカウント応答メッセージを送信し、このＭＢＭＳカウント応答メッセージには、それぞれのＵＥデバイスのサービングセルのセルＩＤが含まれている。各ｅＮＢ８１、８２は、ｅＮＢから受信したセル識別情報を含むＭＢＭＳサービスカウント結果報告１０６、１０８を生成する。ＭＢＭＳサービスカウント結果報告は、ＭＣＥに転送され、ＭＣＥは、ｅＮＢから受信したＭＢＭＳサービスカウント結果報告を評価する。この例においては、ＭＢＭＳカウント要求、ＭＢＭＳカウント要求メッセージ、ＭＢＭＳカウント応答メッセージ、及びＭＢＭＳサービスカウント結果報告は、それぞれが、セル識別情報要素（セルＩＤ  ＩＥ）を含んでいることを除いては、３ＧＰＰのＬＴＥ通信仕様の少なくとも１つの改訂版に従って生成され、かつそれに従ったフォーマットを有する。結果として、ＭＣＥ１００に提供される情報には、各セル内の、ある特定のＭＢＭＳサービスの受信に興味があるＵＥデバイスの数を少なくとも示す情報が含まれている。この情報に少なくとも基づき、ＭＣＥは、ＭＢＭＳサービスを提供するための送信メカニズムを選択する。場合によっては、ＭＣＥは、ｅＭＢＭＳと単一セル−ポイントツーマルチポイント（ＳＣ−ＰＴＭ）送信メカニズムとの間で選択を行う。このような技術により、ＵＥデバイスが、あるＭＢＳＦＮエリア内の１つのセル又はごくわずかな数のセルにおいて、特定のサービスを受信しているような状況下では、ｅＭＢＭＳに代えて、ＳＣ−ＰＴＭが使用されるため、通信リソースのより効率的な使用が促進される。後述されるように、場合によっては、他の送信メカニズムが選択されるように、本技術を拡張することもできる。例えば、わずかな数のＵＥデバイスだけが、あるサービスに興味があり、とりわけ、これらのＵＥデバイスが別々のセル内に位置している場合には、ユニキャストを用いてそのサービスを提供する方が効率的な場合がある。ネットワーク２０内の他のエンティティによって、ＭＢＭＳサービスカウント結果報告を評価し、ＭＢＭＳコンテンツを提供するための送信メカニズムを選択してもよい。例えば、ＧＣＳ−ＡＳ１０４が、ＢＭ−ＳＣ１０２及びＭＣＥ１００と協働して、報告の評価と、送信メカニズムの選択を行ってもよい。
【００２７】
図２は、３ＧＰＰのＬＴＥシステム内のネットワークエンティティのうちのいくつかを示す、通信システム１０のブロック図である。通常、３ＧＰＰのＬＴＥシステムでは、当該技術分野において周知である更なるエンティティ及び機能が用いられる。明快かつ簡潔なものとするため、図２では、これらの付加的なエンティティを省略している。ブロードキャスト−マルチキャスト・サービス・センター（ＢＭ−ＳＣ）１０２は、ＭＢＭＳユーザサービスの提供及び配信のための機能を提供するエンティティである。ＢＭ−ＳＣ１０２は、コンテンツ提供者によるＭＢＭＳ送信のエントリポイントとしての役割を果たし得、ＰＬＭＮ内でのＭＢＭＳベアラサービスの認可及び開始のために用いられ、また、ＭＢＭＳ送信のスケジューリング及び配信のために用いることもできる。ＢＭ−ＳＣは、ブロードキャストモードでのＥ−ＵＴＲＡＮにおけるＭＢＭＳのための、メンバーシップ、セッション及び送信、サービスアナウンスメント、セキュリティ及びコンテンツ同期などのサブ機能から構成される。ＭＢＭＳ  ＧＷ２０２は、ＴＭＧＩ及びフロー識別子に基づいてＩＰマルチキャストアドレスを割り当てる。ＭＢＭＳ  ＧＷ２０２は、複数の制御プレーンエンティティ（即ち、ＭＭＥ及びＢＭ−ＳＣ）と通信可能である。また、ＭＢＭＳ  ＧＷ機能は、ＳＧｉ−ｍｂ（ユーザプレーン）基準点、及びＳＧｍｂ（制御プレーン）基準点を通じてＭＢＭＳベアラを用いるエンティティのためのインターフェイスを含む。ＭＭＥ２０４は、Ｅ−ＵＴＲＡＮがＭＢＭＳをサポートできるようにするための複数の機能をサポートする。ＭＭＥ２０４は、Ｓｍインターフェイスを経由してＭＢＭＳ  ＧＷから、ＭＢＭＳサービス制御メッセージ及びＭＢＭＳデータ受信のためのＩＰマルチキャストアドレスを受信することにより、ＭＢＭＳ  ＧＷ２０２に対するＳｍインターフェイスを提供する。ＭＭＥ２０４は更に、Ｅ−ＵＴＲＡＮアクセス（Ｅ−ＵＴＲＡＮに対する、セッション開始／セッション停止の信頼性の高い配信を含む）に対するＭＢＭＳベアラのセッション制御を実行する。また、ＭＭＥ２０４は、複数のＥ−ＵＴＲＡＮノードに向かって、セッション制御メッセージを送信する。複数のＭＣＥに接続される場合、ＭＭＥ２０４は、ＭＢＭＳサービスエリアに基づいて、それらのＭＣＥに対するセッション制御メッセージの分布をフィルタリングするべきである。ＭＭＥ２０４は、Ｍ３ＡＰセットアップシグナリングを使用して、ＭＣＥによるサービスを受けるＭＢＭＳサービスエリアのリストをＭＭＥに提供する。また、ＭＭＥ２０４は、必要なＥ−ＵＴＲＡＮノードに向かってセッション制御メッセージを送信し、進行中のＭＢＭＳセッションからのコンテンツの分配を確保する。
【００２８】
図３は、セルＩＤ情報がＵＥデバイスによって、ＭＢＭＳカウント応答メッセージ内で提供される一例のメッセージ図である。
【００２９】
送信３０２において、セルＩＤ情報エンティティ（ＩＥ）を含むＭＢＭＳサービスカウント要求が、ＭＣＥ１００からｅＮＢに送信される。明快かつ簡潔なものとするため、図３では２つのｅＮＢ８１、８２のみを示している。この例の場合、セルＩＤ  ＩＥを含むＭＢＭＳサービスカウント要求は、少なくとも１つの３ＧＰＰのＬＴＥ通信仕様書に従って設定され、送信されるが、セルＩＤ  ＩＥを含んでいる点において、従来のＭＢＭＳサービスカウント要求とは異なる。ＭＣＥは、Ｍ２インターフェイスを用いて、要求３０２を送信する。この例の場合、ＭＢＭＳサービスカウント要求は、セルＩＤ  ＩＥと、ＴＭＧＩなどのＰＴＭ互換サービス識別子と、を含む。これらのパラメータを識別することにより、ＭＣＥは、興味のあるＴＭＧＩ及びセルについてのカウント情報及びセル情報を集めることができる。場合によっては、セルＩＤ  ＩＥは、プライマリセカンダリセル、及び、場合によっては、非サービングセルなどの全てのセルＩＤに対して、セルＩＤが要求されていることを伝える、汎用セル識別情報指示子であってもよい。
【００３０】
送信３０４、３０６において、各ｅＮＢ８１、８２は、その配下にあるＵＥデバイスに対し、セルＩＤ  ＩＥを含むＭＢＭＳカウント要求メッセージを送信する。ＭＣＥから受信したセルＩＤ  ＩＥを含むＭＢＭＳカウント要求に応答して、第１のｅＮＢ８１は、第１のｅＮＢからサービスを受信している全てのＵＥデバイス（第１のＵＥデバイス２１など）に対して、セルＩＤ  ＩＥを含むＭＢＭＳカウント要求メッセージを送信する。ＭＣＥから受信したセルＩＤ  ＩＥを含むＭＢＭＳカウント要求に応答して、第２のｅＮＢ８１は、第２のｅＮＢ８２からサービスを受信している全てのＵＥデバイス（第２のＵＥデバイス２６など）に対して、セルＩＤ  ＩＥを含むＭＢＭＳカウント要求メッセージを送信する。カウント要求メッセージ３０４、３０６は、ＰＤＳＣＨ内において送信される単一セルＭＣＣＨ、即ちＳＣ−ＭＣＣＨによって送信される。ＳＣ−ＭＣＣＨが送信されるインスタント（ｉｎｓｔａｎｃｅ）を見つけるため、ＵＥデバイスがＰＤＣＣＨを監視することが想定されている。繰り返し周期、変更期間、及び変更通知のＳＣ−ＭＣＣＨ設定は、ＲＲＣシグナリングによってＵＥに提供される。ＳＣ−ＰＴＭのためのＳＣ−ＭＣＣＨは、ＭＢＳＦＮ（ｅＭＢＭＳに使用されるもの）において送信されるＭＣＣＨと同様であるが、ＵＥデバイスは、ＳＣ−ＰＴＭによってブロードキャストサービスを受信することにのみ興味がある場合、ＭＢＳＦＮを監視する必要はない。場合によっては、セルＩＤ  ＩＥを含むＭＢＭＳカウント要求メッセージは、ＭＣＣＨを使用して送信される。しかしながら、このような状況では、戻ってくるセルＩＤ情報は、サービスの受信にＭＢＳＦＮを使用していないＵＥデバイスを反映しないものになるであろう。送信３０８において、第１のＵＥデバイス２１は、セルＩＤ  ＩＥを含むＭＢＭＳカウント応答メッセージで、ＭＢＭＳカウント要求メッセージに応答する。送信３１０において、第２のＵＥデバイス２６は、セルＩＤ  ＩＥを含むＭＢＭＳカウント応答メッセージで、ＭＢＭＳカウント要求メッセージに応答する。この例の場合、ＭＢＭＳカウント要求メッセージがセルＩＤ  ＩＥを含むとき、ＭＢＭＳカウント応答メッセージは、応答メッセージを送信しているＵＥデバイスのサービングセルのセルＩＤを含む。上述したように、ＭＢＭＳカウント要求は、ＵＥデバイスが、全てのサービングセル（プライマリセル及びセカンダリセル）、及び場合によっては、アクセス可能な非サービングセルを提供すべきことを示す、汎用セル識別情報指示子を含んでいてもよい。ＭＢＭＳカウント要求に含まれるセルＩＤ  ＩＥが、特定のセルＩＤを含む場合、ＵＥデバイスは、この要求において特定されているサービングセル（及び、場合によっては、アクセス可能な非サービングセル）のセルＩＤについての応答のみ行う。また、ＭＢＭＳカウント応答メッセージは、ＵＥデバイスが興味のある任意のＰＴＭ互換サービスを特定する。この例の場合、それらのサービスは、ＴＭＧＩによって特定され、ここで、ＵＥデバイスは、ＭＢＭＳカウント要求メッセージに含まれていたＴＭＧＩを特定するだけである。この例においては、ＭＢＭＳカウント要求メッセージがセルＩＤ  ��Ｅを含んでいない場合には、ＭＢＭＳカウント応答メッセージは、セルＩＤを含んでいる必要はない。場合によっては、ＵＥデバイスは、セルＩＤのプライマリセルを特定しない。ｅＮＢは、ＵＥデバイスがアクセス可能なセルに関する情報を知ることができるため、ＵＥデバイスが興味のあるＰＴＭサービスを示している限りは、ｅＮＢは、メッセージ３１２及び３１４におけるセルＩＤ情報をタグ付けすることができ、適切な情報をＭＣＥに転送することができる。
【００３１】
送信３１２、３１４において、ｅＮＢ８１、８２は、任意のＰＴＭ互換サービスに興味があるＵＥデバイスのセルＩＤを特定する、セルＩＤ情報を含む、ＭＢＭＳサービスカウント結果報告を送信する。第１のｅＮＢ８１及び第２のｅＮＢ８２はそれぞれ、セルＩＤ及びＴＭＧＩを含むＭＢＭＳサービスカウント結果報告を送信し、このセルＩＤ及びＴＭＧＩによって、ＰＴＭ互換サービスのＴＭＧＩ、及びＰＴＭ互換サービスに興味があるＵＥデバイスのサービングセルが特定される。したがって、ＭＣＥが受信するＭＢＭＳサービスカウント結果報告により、ＭＣＥに対して、各ＴＭＧＩについてのサービングセル情報７０が提供される。
【００３２】
イベント３１６において、ＭＣＥ１００は、ＢＭ−ＳＣ１０２と協働して、各ＰＴＭ互換サービスを配信するための送信メカニズムを選択する。場合によっては、送信メカニズムの選択にＧＣＳ−ＡＳ１０４が関与する場合もある。あるＴＭＧＩサービスについて、ｅＮＢ８１がＳＣ−ＰＴＭを提供すべきことを、ＭＣＥ１００が決定すると、ＭＣＥ１００は、そのＴＭＧＩサービスのＱｏＳなどの必要な情報をｅＮＢ８１に提供する。その後、ｅＮＢ８１は、システム情報ブロック（ＳＩＢ）により、ＳＣ−ＭＣＣＨのための設定を提供する。ＳＣ−ＭＣＣＨは、ＳＣ−ＰＴＭによりブロードキャストされるサービス、及び、それらのサービスについてのトラフィック内容を送信するために用いるサブフレームに関する情報を含む。この方法では、ＵＥデバイスは、興味のあるサービスに関連するトラフィック内容を送信しているＰＤＳＣＨに含まれる、特定のサブフレームを監視する必要があるだけである。
【００３３】
図４は、図３におけるＭＣＥからｅＮＢへの送信３０２に好適なＭＢＭＳサービスカウント要求４００の一例のブロック図である。ＭＢＭＳサービスカウント要求４００は、３ＧＰＰのＬＴＥ通信仕様書の少なくとも１つの改訂版に従ったフィールド及びフォーマットを含み、かつ、本明細書で述べられる要素のための更なるフィールド、ＩＥ、及び／又は情報を含んでいてよい。この例では、ＭＢＭＳサービスカウント要求４００は、少なくともセルＩＤ  ＩＥ４０２、及びＴＭＧＩ  ＩＥ４０４を含む。本明細書で述べられるように、セルＩＤ  ＩＥ４０２は、情報の取得に関して、ＭＣＥ１００による興味の対象となる１つ又は２つ以上のセルを特定してよい。上述したように、セルＩＤ  ＩＥは、ＵＥデバイスがセルＩＤ情報を提供すべきことを示す汎用識別情報指示子であってもよい。また、上述したように、場合によっては、セルＩＤ  ＩＥを省略してもよい。ＴＭＧＩ  ＩＥ４０２は、情報の取得に関して、ＭＣＥ１００による興味の対象となる、１つ又は２つ以上のＰＴＭ互換サービスを特定する。
【００３４】
図５は、図３におけるｅＮＢからＵＥデバイスへの送信３０４、３０６について好適な、ＭＢＭＳカウント要求メッセージ５００の一例のブロック図である。ＭＢＭＳカウント要求メッセージ５００は、３ＧＰＰのＬＴＥ通信仕様書の少なくとも１つの改訂版に従ったフィールド及びフォーマットを含み、かつ、本明細書で述べられる要素のための更なるフィールド、ＩＥ、及び／又は情報を含んでいてよい。この例では、ＭＢＭＳカウント要求メッセージ５００は、少なくともセルＩＤ  ＩＥ５０２、及びＴＭＧＩ  ＩＥ５０４を含む。本明細書で述べられるように、セルＩＤ  ＩＥ５０２は、情報の取得に関して、ＭＣＥ１００による興味の対象となる１つ又は２つ以上のセルを特定してよい。上述したように、セルＩＤ  ＩＥは、ＵＥデバイスがセルＩＤ情報を提供すべきことを示す汎用識別情報指示子であってもよい。また、上述したように、場合によっては、セルＩＤ  ＩＥを省略してもよい。ＴＭＧＩ  ＩＥ５０４は、情報の取得に関して、ＭＣＥ１００による興味の対象となる１つ又は２つ以上のＰＴＭ互換サービスを特定する。汎用セル識別情報指示子を含むことは、特定のＰＴＭ可能サービスが現在提供されているサービスなのか、又は将来に提供され得るサービスであるのかどうかに基づいていてもよい。現在提供されているサービスである場合、ＭＣＥ１００は、そのサービスを特定のセルにおいて継続すべきなのかどうかを判断する必要がある。この場合（進行中のサービスの場合）、要求メッセージにセルＩＤを含めることは、依然として適切であり得る。ＴＭＧＩサービスがブロードキャストされようとしているところである場合、ＭＣＥはまだ、サービスが提供されることになるセルを特定していない場合がある。この場合、ＵＥデバイスは、そのＵＥデバイスの現在のサービングセル（プライマリセル及びセカンダリセル）を報告するだけでよく、また、場合によっては、アクセス可能な非サービングセル、並びに興味のあるＰＴＭ互換サービスを報告してもよい。そして、ＭＣＥは、その結果報告に基づいて、どの１つ又は複数のセルに対してこれらのサービスを提供するべきかについて、後で判断する。
【００３５】
図６は、図３におけるＵＥデバイスからｅＮＢへの送信３０８、３１０に好適なＭＢＭＳカウント応答メッセージ６００の一例のブロック図である。ＭＢＭＳカウント応答メッセージ６００は、３ＧＰＰのＬＴＥ通信仕様書の少なくとも１つの改訂版に従ったフィールド及びフォーマットを含み、かつ、本明細書で述べられる要素のための更なるフィールド、ＩＥ、及び／又は情報を含んでいてよい。この例では、ＭＢＭＳカウント応答メッセージ６００は、少なくともセルＩＤ  ＩＥ６０２、及びＴＭＧＩ  ＩＥ６０４を含む。本明細書で述べられるように、セルＩＤ  ＩＥ６０２は、ＵＥデバイスの１つ又は２つ以上のサービングセルを特定してよい。また、状況によっては、上述したように、セルＩＤ  ＩＥ６０２は、ＵＥデバイスによってアクセス可能な非サービングセルを特定してもよい。この例の場合、特定されるセルは、ＭＢＭＳカウント要求メッセージ５００において特定されたセルと、ＵＥデバイスのサービングセル（また、場合によっては、アクセス可能な非サービングセル）であるセルとの共通集合によって形成される一群のセルである。上述したように、セルＩＤ  ＩＥ５０２は、ＵＥデバイスがセルＩＤ情報を提供すべきことを示す汎用識別情報指示子であってもよい。結果として、セルＩＤ  ＩＥ６０２は、ＵＥデバイスのサービングセル及びアクセス可能なセルの全てを含んでいてもよい。この例の場合、セルＩＤ  ＩＥ  ５０２が要求メッセージ５００内に存在しない場合には、セルＩＤ  ＩＥは送信されない。本明細書で述べられるように、ＴＭＧＩ６０４は、ＵＥデバイスが受信に興味がある１つ又は２つ以上のＰＴＭ互換サービスを特定してよい。この例の場合、ＴＭＧＩ６０４は、ＭＢＭＳカウント要求メッセージ５００内で列挙されたＴＭＧＩと、ＵＥデバイスが受信に興味があるＴＭＧＩとの共通集合である一群のＴＭＧＩである。二重カウントされる可能性を減らすため、通常、ＵＥデバイスは、そのＵＥデバイスのプライマリセル（ＰＣｅｌｌ）に対してのみ、ＭＢＭＳカウント応答メッセージ６００を送信する。あるＵＥデバイスに対するセカンダリセル、即ちＳＣｅｌｌが、他のＵＥデバイスに対するＰＣｅｌｌとしてサービスを提供している場合もある。
【００３６】
図７は、図３におけるｅＮＢからＭＣＥへの送信３１２、３１４に好適な、ＭＢＭＳサービスカウント結果報告７００の一例のブロック図である。ＭＢＭＳサービスカウント結果報告７００は、３ＧＰＰのＬＴＥ通信仕様書の少なくとも１つの改訂版に従ったフィールド及びフォーマットを含み、かつ、本明細書で述べられる要素のための更なるフィールド、ＩＥ、及び／又は情報を含んでいてよい。ＭＢＭＳサービスカウント結果報告７００は、セルＩＤ  ＩＥ７０２と、ＴＭＧＩ  ＩＥ７０４と、を少なくとも含み、このセルＩＤ  ＩＥ７０２と、ＴＭＧＩ  ＩＥ７０４は、ＵＥデバイスのサービングセル、及び、それらのセル内において、ある特定のＴＭＧＩについて受信に興味があり、かつ受信可能であるＵＥデバイスの数を特定する。セルＩＤ  ＩＥ７０２内に多数のセルが存在する場合、ＭＢＭＳサービスカウント結果報告７００内に含まれるＵＥデバイスの数を構成する全てのＵＥデバイスが、セルＩＤ  ＩＥ７０２内のセルのうちのいずれか１つにおいてＴＭＧＩ  ＩＥ７０４を取得可能であることが、ＭＣＥに対して示唆される。それ故、ＭＣＥは、ＭＢＳＦＮにわたってＳＣ−ＰＴＭが選択された場合、ＰＴＭ送信のためにどのセルを選択するかを決定し得る。他の選択肢としては、二重カウントされる可能性を減らすため、セルＩＤ  ＩＥ７０２下のセルのリストを、セルがＰＣｅｌｌ、ＳＣｅｌｌ、又は非サービングセルと見なされるかどうかを示すために、セルＩＤ  ＩＥ７０２下のサブリストとして、区別して特定してもよい。この例においては、結果報告は、複数のＴＭＧＩ及びセルＩＤについてのカウント情報を含んでいてもよい。結果報告内には、各ＰＴＭサービスに興味がある、（複数のセルのそれぞれのセル内の）興味があるＵＥデバイスの数を特定する情報が含まれていてもよい。一例においては、ｅＮＢは、各ＴＭＧＩについての、あるセルＩＤと、それに対応する、そのサービスに興味があるＵＥの数と、を報告してもよく、ここで、ｅＮＢは、同一のＴＭＧＩに対応するが、第２のセルＩＤに関連するＵＥの数を列挙する、第２のセルＩＤによる別個の記録を含んでいてもよい。
【００３７】
当業者であれば、これらの教示に照らして、本発明の他の実施形態及び変更形態を容易に実施し得ることは明白である。上記の説明は、例示的なものであり、限定的なものではない。本発明は、特許請求の範囲によってのみ限定されるべきものであり、特許請求の範囲には、上述の詳細及び添付の図面を組み合わせて考慮した場合の、あらゆる実施形態及び変更形態が含まれる。したがって、本発明の範囲は、上記の説明を参照して判定されるのではなく、均等物の全範囲とともに、添付される請求の範囲を参照して判定されるべきである。
【図１Ａ】
0006503071.tif 000002
【図１Ｂ】
0006503071.tif 000003
【図１Ｃ】
0006503071.tif 000004
【図２】
0006503071.tif 000005
【図３】
0006503071.tif 000006
【図４】
0006503071.tif 000007
【図５】
0006503071.tif 000008
【図６】
0006503071.tif 000009
【図７】
0006503071.tif 000010